【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局から、複数のダウンリンクチャネル送信を受信することと、ここで、前記ダウンリンクチャネル送信の各々は、レガシ送信時間間隔（ＴＴＩ）に比べて短縮された第１のＴＴＩを使用して送られ、
第２のＴＴＩを使用して送られる単一のアップリンクチャネル送信において、前記ダウンリンクチャネル送信が前記ＵＥによって成功して受信されたか否かを示すグループ確認応答を提供することと
を備え、
前記第２のＴＴＩは、前記第１のＴＴＩより大きいことを特徴とする、方法。
【請求項２】
基地局によるワイヤレス通信のための方法であって、
ユーザ機器（ＵＥ）に、複数のダウンリンクチャネル送信を送ることと、ここで、前記ダウンリンクチャネル送信の各々は、レガシ送信時間間隔（ＴＴＩ）に比べて短縮された第１のＴＴＩを使用して送られ、
第２のＴＴＩを使用して送られる単一のアップリンクチャネル送信において、前記ダウンリンクチャネル送信が前記ＵＥによって成功して受信されたか否かを示すグループ確認応答を受信することと
を備え、
前記第２のＴＴＩは、前記第１のＴＴＩより大きいことを特徴とする、方法。
【請求項３】
前記レガシＴＴＩは、サブフレーム持続時間に対応する持続時間を有し、
前記第２のＴＴＩは、サブフレームより少ない持続時間に対応する持続時間を有する、
請求項１または２のどちらかに記載の方法。
【請求項４】
前記第１のＴＴＩは、シンボル持続時間に対応する持続時間を有する、請求項３に記載の方法。
【請求項５】
前記グループ確認応答は、１つまたは複数のサブフレームの複数のタイムスロットにおいて送られるダウンリンクチャネル送信を確認応答するために使用される、請求項１または２のどちらかに記載の方法。
【請求項６】
前記グループ確認応答は、第１のサブフレームの第２のタイムスロット及び第２のサブフレームの第１のタイムスロットで送られるダウンリンクチャネル送信を確認応答するために使用される、請求項１または２のどちらかに記載の方法。
【請求項７】
ダウンリンクチャネル送信に対して前記グループ確認応答または個々の確認応答を使用するためのインジケーションを受信することまたは送信することをそれぞれさらに備える、請求項１または２のどちらかに記載の方法。
【請求項８】
前記インジケーションは、半静的シグナリングまたは動的シグナリングのうちの少なくとも１つである、請求項７に記載の方法。
【請求項９】
前記インジケーションは、チャネル状態情報（ＣＳＩ）または基準信号受信電力（ＲＳＲＰ）測定のうちの少なくとも１つに基づく、請求項８に記載の方法。
【請求項１０】
再送信を受信すること、または前記グループ確認応答において否定的に確認応答されたダウンリンクチャネル送信を再送信することをそれぞれさらに備える、請求項１または２のどちらかに記載の方法。
【請求項１１】
前記第２のＴＴＩは、前記レガシＴＴＩと同じである、請求項１または２のどちらかに記載の方法。
【請求項１２】
前記ダウンリンクチャネル送信は、前記ＵＥのために構成された１つまたは複数のキャリア上で送信され、および／または
前記複数のダウンリンクチャネル送信のうちの少なくとも２つは、同じＨＡＲＱ処理に関連付けられ、および／または
前記単一のアップリンクチャネル送信は、前記ＵＥのために構成されたプライマリセルまたはプライマリ第２セルのうちの少なくとも１つから送信される、請求項１または２のどちらかに記載の方法。
【請求項１３】
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、請求項１または２のどちらかに記載の方法。
【請求項１４】
ワイヤレス通信のための装置であって、
基地局から、複数のダウンリンクチャネル送信を受信し、ここで、前記ダウンリンクチャネル送信の各々は、レガシ送信時間間隔（ＴＴＩ）に比べて短縮された第１のＴＴＩを使用して送られ、第２のＴＴＩを使用して送られる単一のアップリンクチャネル送信において、前記ダウンリンクチャネル送信がＵＥによって成功して受信されたか否かを示すグループ確認応答を提供するように構成された少なくとも１つのプロセッサと、
前記少なくとも１つのプロセッサに結合されたメモリと
を備え、
前記第２のＴＴＩは、前記第１のＴＴＩより大きいことを特徴とする、装置。
【請求項１５】
ワイヤレス通信のための装置であって、
ユーザ機器（ＵＥ）に、複数のダウンリンクチャネル送信を送り、ここで、前記ダウンリンクチャネル送信の各々は、レガシ送信時間間隔（ＴＴＩ）に比べて短縮された第１のＴＴＩを使用して送られ、第２のＴＴＩを使用して送られる単一のアップリンクチャネル送信において、前記ダウンリンクチャネル送信が前記ＵＥによって成功して受信されたか否かを示すグループ確認応答を受信するように構成された少なくとも１つのプロセッサと、
前記少なくとも１つのプロセッサに結合されたメモリと
を備え、
前記第２のＴＴＩは、前記第１のＴＴＩより大きいことを特徴とする、装置。
【請求項１６】
１つまたは複数のプロセッサに、請求項１−１３のうちのいずれか一項の方法を実行させるための命令を記憶した、コンピュータ可読媒体。
【手続補正２】
【補正対象書類名】明細書
【補正対象項目名】００９１
【補正方法】変更
【補正の内容】
【００９１】
[0102]  本開示の先の説明は、いかなる当業者にも本開示を行うまたは使用することを可能にするように提供される。本開示に対する様々な修正は、当業者に容易に明らかであり、ここで定義されている包括的な原理は、本開示の精神または範囲から逸脱せずに、他のバリエーションに適用され得る。したがって、本開示は、ここで説明された例及び設計に限定されるように意図されたものではなく、ここで開示された原理及び新規な特徴と一致する最も広い範囲が付与されるべきである。
以下に本願の出願当初の特許請求の範囲に記載された発明を付記する。
［Ｃ１］
ユーザ機器（ＵＥ）によるワイヤレス通信のための方法であって、
基地局から、複数のダウンリンクチャネル送信を受信することと、ここで、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を提供することと
を備える、方法。
［Ｃ２］
前記レガシＴＴＩは、サブフレーム持続時間に対応する持続時間を有し、
前記第２のＴＴＩは、サブフレームより少ない持続時間に対応する持続時間を有する、
Ｃ１に記載の方法。
［Ｃ３］
前記第１のＴＴＩは、シンボル持続時間に対応する持続時間を有する、Ｃ２に記載の方法。
［Ｃ４］
前記グループ確認応答は、１つまたは複数のサブフレームの複数のタイムスロットにおいて送られるダウンリンクチャネル送信を確認応答するために使用される、Ｃ１に記載の方法。
［Ｃ５］
前記グループ確認応答は、第１のサブフレームの第２のタイムスロット及び第２のサブフレームの第１のタイムスロットにおいて送られるダウンリンクチャネル送信を確認応答するために使用される、Ｃ１に記載の方法。
［Ｃ６］
ダウンリンクチャネル送信に対して前記グループ確認応答または個々の確認応答を使用するためのインジケーションを受信することをさらに備える、Ｃ１に記載の方法。
［Ｃ７］
前記インジケーションは、半静的シグナリングまたは動的シグナリングのうちの少なくとも１つである、Ｃ６に記載の方法。
［Ｃ８］
前記インジケーションは、チャネル状態情報（ＣＳＩ）または基準信号受信電力（ＲＳＲＰ）測定のうちの少なくとも１つに基づく、Ｃ７に記載の方法。
［Ｃ９］
前記グループ確認応答において否定的に確認応答されたダウンリンクチャネル送信の再送信を受信することをさらに備える、Ｃ１に記載の方法。
［Ｃ１０］
前記第２のＴＴＩは、前記レガシＴＴＩと同じである、Ｃ１に記載の方法。
［Ｃ１１］
前記ダウンリンクチャネル送信は、前記ＵＥのために構成された１つまたは複数のキャリア上で送信される、Ｃ１に記載の方法。
［Ｃ１２］
前記単一のアップリンクチャネル送信は、前記ＵＥのために構成されたプライマリセルまたはプライマリ第２セルのうちの少なくとも１つから送信される、Ｃ１に記載の方法。
［Ｃ１３］
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、Ｃ１に記載の方法。
［Ｃ１４］
前記複数のダウンリンクチャネル送信のうちの少なくとも２つは、同じＨＡＲＱ処理に関連付けられる、Ｃ１に記載の方法。
［Ｃ１５］
基地局によるワイヤレス通信のための方法であって、
ユーザ機器（ＵＥ）に、複数のダウンリンクチャネル送信を送ることと、ここで、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信することと
を備える、方法。
［Ｃ１６］
前記レガシＴＴＩは、サブフレーム持続時間に対応する持続時間を有し、
前記第２のＴＴＩは、サブフレームより少ない持続時間に対応する持続時間を有する、
Ｃ１５に記載の方法。
［Ｃ１７］
前記第１のＴＴＩは、シンボル持続時間に対応する持続時間を有する、Ｃ１６に記載の方法。
［Ｃ１８］
前記グループ確認応答は、１つまたは複数のサブフレームの複数のタイムスロットにおいて送られるダウンリンクチャネル送信を確認応答するために使用される、Ｃ１５に記載の方法。
［Ｃ１９］
前記グループ確認応答は、第１のサブフレームの第２のタイムスロット及び第２のサブフレームの第１のタイムスロットで送られるダウンリンクチャネル送信を確認応答するために使用される、Ｃ１５に記載の方法。
［Ｃ２０］
ダウンリンクチャネル送信に対して前記グループ確認応答または個々の確認応答を使用するためのインジケーションを送信することをさらに備える、Ｃ１５に記載の方法。
［Ｃ２１］
前記インジケーションは、半静的シグナリングまたは動的シグナリングのうちの少なくとも１つである、Ｃ２０に記載の方法。
［Ｃ２２］
前記インジケーションは、チャネル状態情報（ＣＳＩ）または基準信号受信電力（ＲＳＲＰ）測定のうちの少なくとも１つに基づく、Ｃ２１に記載の方法。
［Ｃ２３］
前記グループ確認応答において否定的に確認応答されたダウンリンクチャネル送信を再送信することをさらに備える、Ｃ１５に記載の方法。
［Ｃ２４］
前記第２のＴＴＩは、前記レガシＴＴＩと同じである、Ｃ１５に記載の方法。
［Ｃ２５］
前記ダウンリンクチャネル送信は、前記ＵＥのために構成された１つまたは複数のキャリア上で送信される、Ｃ１５に記載の方法。
［Ｃ２６］
前記単一のアップリンクチャネル送信は、前記ＵＥのために構成されたプライマリセルまたはプライマリ第２セルのうちの少なくとも１つから送信される、Ｃ１５に記載の方法。
［Ｃ２７］
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、Ｃ１５に記載の方法。
［Ｃ２８］
前記複数のダウンリンクチャネル送信のうちの少なくとも２つは、同じＨＡＲＱ処理に関連付けられる、Ｃ１５に記載の方法。
［Ｃ２９］
ワイヤレス通信のための装置であって、
基地局から、複数のダウンリンクチャネル送信を受信し、ここで、前記ダウンリンクチャネル送信の各々は、レガシ送信時間間隔（ＴＴＩ）に比べて短縮された第１のＴＴＩを使用して送られ、前記第１のＴＴＩより大きい第２のＴＴＩを使用して送られる単一のアップリンクチャネル送信において、前記ダウンリンクチャネル送信がＵＥによって成功して受信されたか否かを示すグループ確認応答を提供するように構成された少なくとも１つのプロセッサと、
前記少なくとも１つのプロセッサに結合されたメモリと
を備える、装置。
［Ｃ３０］
ワイヤレス通信のためのａｎであって、
ユーザ機器（ＵＥ）に、複数のダウンリンクチャネル送信を送り、ここで、前記ダウンリンクチャネル送信の各々は、レガシ送信時間間隔（ＴＴＩ）に比べて短縮された第１のＴＴＩを使用して送られ、前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信するように構成された少なくとも１つのプロセッサと、
前記少なくとも１つのプロセッサに結合されたメモリと
を備える、ａｎ。